(57)【要約】【課題】滑材や裏込め材が円形ケーシング下部に流れることがなく、円形ケーシングを揺動・旋回・圧入する際に滑材や裏込め材が効率良く回り込み、滑材や裏込め材の効果を充分発揮することのできる立坑用ケーシングを提供する。【解決手段】円形ケーシング１外部の地盤に対し滑材および裏込め材の注入口２を設けた立坑用ケーシングにおいて、注入口２の下部に、円形ケーシング１の外周の全周にわたり、リング状の突起８を設けた。円形ケーシング１の外周の全周にわたり、リング状の突起８を設けたことにより、注入口２から地盤に対し注入された滑材および裏込め材が円形ケーシング１の外周を伝って下部に流れようとするとき、リング状の突起８により流れを止められ、突起８の外側に流れようとするので、地盤との接触が確実になり、滑材や裏込め材の効果が充分発揮される。【選択図】  図１
2007002620.tif 000002
【特許請求の範囲】
【請求項１】
円形ケーシング外部の地盤に注入する滑材および裏込め材の注入口を設けた立坑用ケーシングにおいて、前記注入口の下部に、前記円形ケーシングの外周の全周にわたり、リング状の突起を設けたことを特徴とする立坑用ケーシング。
【請求項２】
前記注入口には、前記円形ケーシング外部からの物の浸入を防止する逆止弁が設けられている請求項１記載の立坑用ケーシング。
【発明の詳細な説明】
【技術分野】
【０００１】
本発明は、下水道工事、地下構造物建設工事、井戸掘削工事、場所打杭工事等の立坑構築に用いる立坑用ケーシングに関する。
【背景技術】
【０００２】
揺動式または旋回式の立坑掘削機で、円形ケーシングを揺動または旋回にて圧入して立坑を掘削する場合、地盤に対する円形ケーシングの揺動・旋回と圧入の抵抗を減らすために、円形ケーシングの外周面にベントナイト等の滑材を注入する方法が採用されている。
【０００３】
例えば、特許文献１には、最下段の円形ケーシングの外壁に滑材噴出口を設け、他の各段のケーシングにはケーシングと同長で両端に管継手を持つ滑材供給管を配管し、地上では可撓性ホースをこの滑材供給管と滑材ポンプに接続して、この滑材噴出口に滑材を供給する揺動式立坑掘削機の滑材供給装置が開示されている。
【０００４】
【特許文献１】特開平１１−０８１８４７号公報
【発明の開示】
【発明が解決しようとする課題】
【０００５】
しかし、特許文献１に開示された従来の円形ケーシングは、円形ケーシングの滑材噴出口から円形ケーシングの外周に接する地盤中に注入した滑材が円形ケーシングの外周を伝って円形ケーシング下部より立坑ケーシング内に流入し、滑材が、必要なケーシング外周面にまわらず、滑材の機能を充分に活用できない状態がある。
【０００６】
また、滑材が円形ケーシングの外周面の全体にまわらない状況も発生していた。特に裏込めを行う場合には、セメント系等の裏込め材がケーシング外面全周に回る必要があり、充分に裏込め材の注入が出来ない状態が発生する問題もある。
【０００７】
そこで本発明は、滑材や裏込め材が円形ケーシング下部に流れることがなく、円形ケーシングを揺動・旋回・圧入する際に滑材や裏込め材が効率良く回り込み、滑材や裏込め材の効果を充分発揮することのできる立坑用ケーシングを提供することを目的とする。
【課題を解決するための手段】
【０００８】
前記課題を解決するため、本発明の立坑用ケーシングは、円形ケーシング外部の地盤に注入する滑材および裏込め材の注入口を設けた立坑用ケーシングにおいて、前記注入口の下部に、前記円形ケーシングの外周の全周にわたり、リング状の突起を設けたことを特徴とする。
【０００９】
本発明においては、円形ケーシングの外周の全周にわたり、リング状の突起を設けたことにより、注入口から地盤に対し注入されたベントナイト等の滑材およびセメント系等の裏込め材が円形ケーシングの外周を伝って下部に流れようとするとき、リング状の突起により流れが止められ、突起の外側に流れようとするので、地盤との接触が確実になり、滑材や裏込め材の効果が充分発揮される。
【００１０】
前記注入口に、円形ケーシング外部からの物の浸入を防止する逆止弁を設けることにより、円形ケーシングの外周と地盤との間の土砂、水分が注入口から浸入し、固まって、注入口や、滑材および裏込め材が注入できなくなることを防止することができる。
【発明の効果】
【００１１】
本発明によれば、円形ケーシングの外周の全周にわたり、リング状の突起を設けたことにより、滑材や裏込め材が円形ケーシング下部に流れることが無く、円形ケーシングを揺動・旋回・圧入する際に、リング状の突起により形成される地盤と円形ケーシングとの間の間隙に滑材や裏込め材が効率良く回り込み、滑材や裏込め材の効果を充分発揮することができる。
【発明を実施するための最良の形態】
【００１２】
以下、本発明の実施の形態を、図面を用いて説明する。
図１は本発明に係る立坑用ケーシングの実施の形態を示すもので、（ａ）は拡大断面図、（ｂ）は外部より見た側面図、（ｃ）は内部より見た側面図である。
【００１３】
これらの図において、立坑掘削時に使用される最下段の円形ケーシング１の外壁には滑材の注入口２が設けられており、円形ケーシング１の内壁には、注入口２から注入する滑材、裏込め材を供給するための配管３が設けられている。注入口２には、逆止弁の機能を有する止水ゴム４が、押さえ板５およびボルト６により円形ケーシング１の外壁に取り付けられている。最下段の円形ケーシング１の下部には、掘削刃７が設けられている。
【００１４】
注入口２の下部には、円形ケーシング１の全周に渡ってリング状の突起８が溶接等で固着されている。
【００１５】
図２は、本実施の形態の立坑用ケーシングが用いられる揺動式立坑掘削機を示すものである。図２において、立坑掘削機１０は、走行可能なベースマシン１１と、ベースマシン１１から旋回および俯仰可能に設けられたブーム１２と、ブーム１２の先端に吊り下げられたバケット１３とを備えている。ベースマシン１１には、連結装置１４によりチュービング装置１５が固定されている。チュービング装置１５は、鋼管製の円形ケーシング１−１を中心軸の回りに揺動または回転および圧入しながら地山を掘削するもので、回転モータ（図示せず）および圧入シリンダ１７等の駆動装置を備えている。最下段の円形ケーシング１により掘削された円形ケーシング１内の土砂、泥水は、バケット１３により地上に排出される。
【００１６】
最下段の円形ケーシング１の配管３の上部は、管継手１８により、上段の円形ケーシング１−１の配管３−１と接続されている。上段の円形ケーシング１−１にも滑材、裏込め材の注入口２−１が設けられており、その下部に、全周に渡ってリング状の突起８−１が設けられ、注入口２−１に滑材、裏込め材を供給するための配管３−２が設けられている。最上部の円形ケーシング１−１の配管３−１，３−２の上部には、管継手１８により滑材供給管１９が接続されており、滑材ポンプ（図示せず）から滑材、裏込め材が供給される。
【００１７】
立坑掘削機１０により円形ケーシング１，１−１を揺動・旋回・圧入する際に、配管３，３−１，３−２より滑材、裏込め材を注入すると、注入口２，２−１から円形ケーシング１，１−１の外周の地盤に滑材、裏込め材が注入される。注入口２，２−１の下部には、リング状の突起８が形成されているので、注入口２，２−１から地盤に対し注入された滑材および裏込め材が円形ケーシング１，１−１の外周を伝って下部に流れようとするとき、リング状の突起８により流れが止められ、突起８の外側に流れようとするので、地盤との接触が確実になり、滑材や裏込め材の効果が充分発揮される。
【００１８】
また、円形ケーシング１を揺動・旋回・圧入していく際、突起８の上部の円形ケーシング外壁と地盤との間に空隙Ｇが生じるので、そこに滑材、裏込め材が溜まりやすくなり、ますます、滑材や裏込め材の効果が高くなる。
【００１９】
円形ケーシング１，１−１を揺動・旋回・圧入する際に、円形ケーシングの外部の地盤の土圧や水圧が滑材、裏込め材の注入圧よりも高くなる場合が考えられるが、そのときは、止水ゴム４が注入口２，２−１を塞ぐので、土砂や水が配管３，３−１，３−２内に浸入したり、注入口２，２−１の回りに固着するような障害を防止することができる。
【産業上の利用可能性】
【００２０】
本発明は、地盤と円形ケーシングとの間の間隙に滑材や裏込め材が効率良く回り込み、滑材や裏込め材の効果を充分発揮することのできる立坑用ケーシングとして、下水道工事、地下構造物建設工事、井戸掘削工事、場所打杭工事等の立坑構築の分野に好適に利用することができる。
【図面の簡単な説明】
【００２１】
【図１】本発明に係る立坑用ケーシングの実施の形態を示すもので、（ａ）は拡大断面図、（ｂ）は外部より見た側面図、（ｃ）は内部より見た側面図である。
【図２】本実施の形態の立坑用ケーシングが用いられる揺動式立坑掘削機を示すものである。
【符号の説明】
【００２２】
１，１−１  円形ケーシング
２，２−１  注入口
３，３−１，３−２  配管
４  止水ゴム
５  押さえ板
６  ボルト
７  掘削刃
８  突起
１０  立坑掘削機
１１  ベースマシン
１２  ブーム
１３  バケット
１４  連結装置
１５  チュービング装置
１７  圧入シリンダ
１８  管継手
１９  滑材供給管
【図１】
2007002620.tif 000003
【図２】
2007002620.tif 000004